(57)【要約】【課題】原稿送りテーブルと原稿分け構造を含む原稿分け構造を備えた原稿送り装置を提供する。【解決手段】原稿分け構造は原稿送りテーブル内に設置されている台座と、台座表面に設置されている原稿分けパッドと、台座に設けられているローラと、さらに原稿分けパッドとローラに接続されている原稿分けローラと、台座を支持し原稿分けパッドとローラが原稿分けローラにぴったりとくっつけるのに用いられる弾性部材を含む。【選択図】図２
2008312181.tif 000002
【特許請求の範囲】
【請求項１】
原稿送りテーブルと、原稿分け構造とを含み、
前記原稿分け構造は、
原稿送りテーブル内に設置されている台座と、
台座表面に設置されている原稿分けパッドと、
台座に設けられているローラと、
さらに原稿分けパッドとローラに接続されている原稿分けローラと、
台座を支持し原稿分けパッドとローラが原稿分けローラにぴったりとくっつけるのに用いられる弾性部材とを含む原稿分け構造とを含むことを特徴とする原稿分け構造を備えた原稿送り装置。
【請求項２】
前記台座が前記原稿送りテーブル内の凹溝に設置されることを特徴とする請求項１に記載する原稿分け構造を備えた原稿送り装置。
【請求項３】
さらに前記原稿送りテーブルの原稿を前記原稿分け構造に送り出すための前記原稿送りテーブルに設置されたピックアップローラを含むことを特徴とする請求項１に記載する原稿分け構造を備えた原稿送り装置。
【発明の詳細な説明】
【技術分野】
【０００１】
本発明は原稿送り装置に関わり、特に原稿分け構造を備えた原稿送り装置である。
【背景技術】
【０００２】
一般によく見られる文書処理機器、例えばコピー機、ファクシミリ、多機能ＯＡ機器、スキャナー、原稿自動送り装置（ＡＤＦ）内には、自動的に複数枚の文書を順番に文書処理機器に送った後、引き続き印刷、ファクシミリ、スキャンニング等の作業を行なうために原稿送り装置が通常設置されている。よく見かける原稿送り装置内には、重なっている原稿を分け、原稿を一枚づつ順番に文書処理機器に送るために通常原稿分け構造が設置されている。
【０００３】
図１に従来の原稿送り装置の部分構造に係わる概略図を示す。原稿送り装置１は原稿送りテーブル１１と原稿分け構造１２を含み、そのうち原稿送りテーブル１１は原稿を載せるために用いられる。原稿分け構造１２は原稿送りテーブル１１内に設置され、主に原稿分けローラ１２１、原稿分けパッド１２２、台座１２３及び弾性部材１２４からなる。原稿分けローラ１２１は原稿を送り出す動力を提供する。台座１２３は原稿送りテーブル１１内の凹溝１１１に設置され、原稿分けパッド１２２を載せるのに用いられる。原稿分けパッド１２２は直接台座１２３の表面に貼り付けられる。弾性部材１２４は凹溝に設置され、台座１２３を支持することで原稿分けパッド１２２が原稿分けローラ１２１にしっかりくっつくようにさせる。
【０００４】
図１に示すように、原稿分け構造１２の動作原理は、原稿分けローラ１２１と原稿の間の摩擦力が原稿と原稿の間の摩擦力より大きいか、原稿分けローラ１２１と原稿の間の摩擦力が原稿と原稿分けパッド１２２の間の摩擦力より大きい際、原稿分けローラ１２１が一番上面（或いは原稿分けローラに一番近い）の原稿を原稿分けローラ１２１と原稿分けパッド１２２の間の隙間に送り出させる。従って、原稿分けローラ１２１と原稿分けパッド１２２の組み合わせにより、もともと重なっていた原稿を分けることができ、さらに一枚の原稿のみが同時に文書処理機器に送られ、印刷、ファクシミリ、スキャニング等の作業が行なわれる。
【発明の開示】
【発明が解決しようとする課題】
【０００５】
ただし上記における従来の原稿送り装置１内の原稿分け構造１２が、原稿の片方に設けられている原稿分けローラ１２１によって原稿を動かすので、原稿分け構造１２の精確に原稿を送り出すコントロールが非常に難しくなる。このほか、従来の原稿送り装置１の原稿分け構造１２内の原稿分けパッド１２２に対する原稿を動かさせるための設計が不十分なため、磨耗が激しくなり使用寿命が低下し易くなる。
【課題を解決するための手段】
【０００６】
本発明の目的は、原稿分け構造を備えた原稿送り装置を提供することで、原稿分け構造は原稿分けローラに接しているローラを設置することにより、原稿分け構造に正確に原稿を送り出すようにコントロールさせることができ、さらに原稿分けパッドの磨耗を減らすことができるので、原稿分けパッドの使用寿命を長くすることが出来る。
【０００７】
本発明は原稿送りテーブルと原稿分け構造を含む原稿分け構造を備えた原稿送り装置であり、そのうち原稿分け構造は原稿送りテーブル内に設置されている台座と、台座表面に設置されている原稿分けパッドと、台座に設けられているローラと、さらに原稿分けパッドとローラに接続されている原稿分けローラと、台座を支持し原稿分けパッドとローラが原稿分けローラにぴったりとくっつけるのに用いられる弾性部材を含む。
【０００８】
最適なものは、前記台座が前記原稿送りテーブル内の凹溝に設置される原稿分け構造を備えた原稿送り装置である。
【０００９】
最適なものは、さらに前記原稿送りテーブルの原稿を前記原稿分け構造に送り出すための前記原稿送りテーブルに設置されたピックアップローラを含む原稿分け構造を備えた原稿送り装置である。
【発明を実施するための最良の形態】
【００１０】
本発明を次に図面により詳細に説明する。
【実施例】
【００１１】
図２に本発明の第一の実施例で提供されている原稿分け構造を備えた原稿送り装置の部分構造に係わる概略図を示す。原稿送り装置２は原稿送りテーブル２１と原稿分け構造２２を含む。原稿送りテーブル２１は原稿を載せるために用いられ、原稿分け構造２２は原稿送りテーブル２１内に設置され、原稿分けローラ２２１、原稿分けパッド２２２、台座２２３、弾性部材２２４及びローラ２２５からなる。そのうち、原稿分けローラ２２１は原稿を送り出す動力を提供し、原稿分けローラ２２１と原稿の間の摩擦力が原稿と原稿の間の摩擦力より大きいか、原稿と原稿分けパッド２２２の間の摩擦力より大きい際、原稿分けローラ２２１が一番上面（或いは原稿分けローラに一番近い）の原稿を原稿分けローラ２２１と原稿分けパッド２２２の間の隙間に送り出させる。このほかに、原稿送り装置はさらに原稿送りテーブル２１上の原稿を原稿分け構造２２に送るための原稿送りテーブル２１に設置されるピックアップローラ２３を含む。
【００１２】
原稿送り装置２において、原稿分けパッド２２２とローラ２２５を載せるために、原稿分け構造２２の台座２２３が原稿送りテーブル２１の凹溝２１１内に設置されている。原稿分けパッド２２２は直接台座２２３の表面に貼り付けられ、且つ高摩擦係数の表面特性により下層原稿が前に動くのを阻止することができる。ローラ２２５は台座２２３上に設置され自由に回転することができる。このほか、本実施例で提供している原稿分け構造２２において、原稿分けローラ２２１と台座２２３が原稿送りテーブル２１の両側に相対して設置されており、原稿分けローラ２２１は原稿分けパッド２２２とローラ２２５に同時に接することができるので、原稿を分けることと原稿を動かす動作を行なえる。このほか、原稿分け構造２２の弾性部材２２４が凹溝２１１内に設置されており、前記弾性部材２２４は台座２２３を支持し原稿分けパッド２２２とローラ２２５が原稿分けローラ２２１にぴったりとくっつけるのに用いられる。本発明で提供されている原稿送り装置１において、弾性部材２２４にはバネ等の原稿分けパッド２２２とローラ２２５が原稿分けローラ２２１にぴったりとくっつくことができる部材を用いることができる。
【００１３】
本実施例で提供されている原稿分け構造を備えた原稿送り装置２は、特に原稿分け構造２２内に原稿分けローラ２２１に接しているローラ２２５が設置されており、前記ローラ２２５は原稿分けローラ２２１と共に原稿分け構造２２が精確に原稿を外に送り出すコントロールを助けるだけではなく、さらに原稿分けパッド２２２の磨耗を低下させることができる。
【００１４】
図３に本実施例で提供されている原稿分け構造を備えた原稿送り装置２における原稿分け構造２２内の原稿分けパッド２２２、ローラ２２５及び台座２２３の傾斜概略図を示す。前記傾斜図から分かるように、ローラ２２５が台座２２３の凹溝２１１内に設置され、原稿分けパッド２２２は台座２２３上のローラ２２５の周りに設置されている。従って、原稿分け構造２２の原稿分けローラ２２１（図には示さず、図２を参照のこと）は原稿分けパッド２２２とローラ２２５に同時に接触でき、原稿を分けることと原稿を動かす動作を行なえる。
【００１５】
本発明のその他の実施例で提供されている原稿分け構造を備えた原稿送り装置において、原稿分け構造内の原稿分けパッドは図３で示されるようにローラの周りのみに設置されるとは限らず、ローラと原稿分けパッドを同時に原稿分けローラに接触できる位置に設置さえすれば、原稿分け構造がスムーズに原稿を分けることと原稿を動かす動作を行なうことができる。このほか、本発明のその他の実施例で提供されている原稿分け構造を備えた原稿送り装置において、ローラの数は状況の必要性に応じて増設できる。
【００１６】
本実施例で提供されている原稿分け構造を備えた原稿送り装置２において、原稿送りテーブル２１は大体図２で示すように水平に設置されているが、本発明のその他の実施例で提供されている原稿分け構造を備えた原稿送り装置において、原稿送りテーブルは直立或いは傾斜していてもよい。
【００１７】
以上述べたことは、本発明における最良の実施例の詳細な説明と図にすぎず、本発明の特徴はこれだけに限られず、本発明を制限するものではない。本発明のすべての範囲は上記の請求範囲に準じ、本発明の請求範囲の主旨と類似した実施例に合致し、本発明の範疇に属する。この領域を熟知している技術者が、本特許の範囲内で、手を加え、変更したものはすべて、上記の特許請求の範囲内に含まれる。
【図面の簡単な説明】
【００１８】
【図１】図１は従来の原稿送り装置の部分構造を示す概略図。
【図２】図２は本発明の第一の実施例で提供されている原稿分け構造を備えた原稿送り装置の部分構造を示す概略図。
【図３】図３は第一の実施例で提供されている原稿分け構造を備えた原稿送り装置内の原稿分け構造の部分構造を示す傾斜図。
【符号の説明】
【００１９】
１  原稿送り装置
１１  原稿送りテーブル
１１１  凹溝
１２  原稿分け構造
１２１  原稿分けローラ
１２２原稿分けパッド
１２３  台座
１２４  弾性部材
２  原稿送り装置
２１  原稿送りテーブル
２１１  凹溝
２２  原稿分け構造
２２１  原稿分けローラ
２２２  原稿分けパッド
２２３  台座
２２４  弾性部材
２２５  ローラ
２３  ピックアップローラ
【図１】
2008312181.tif 000003
【図２】
2008312181.tif 000004
【図３】
2008312181.tif 000005